(57)【要約】【課題】  施工現場に対応して容易に浴室空間の寸法を調整できる浴室ユニットを提供する。【解決手段】  防水パンに鋼板パネル３を建て付けて浴室空間が形成される浴室ユニットであって、鋼板パネル３と同等の仕上面４ａを有するつなぎ材４を用い、このつなぎ材４を連結具８，６，９により鋼板パネル３と連結して浴室空間を広げることができるように構成する【選択図】  図２
2007023515.tif 000002
【特許請求の範囲】
【請求項１】
防水パンに鋼板パネルを建て付けて浴室空間が形成される浴室ユニットであって、前記鋼板パネルと同等の仕上面を有するつなぎ材を用い、該つなぎ材を連結具により前記鋼板パネルと連結して前記浴室空間を広げたことを特徴とする浴室ユニット。
【請求項２】
前記鋼板パネルと前記つなぎ材の室内側の意匠を同一に設定したことを特徴とする請求項１に記載の浴室ユニット。
【請求項３】
鋼板パネルを建て付けて浴室空間が形成される浴室ユニットを施工するに際し、前記鋼板パネルを現場に応じて切断し寸法を縮めて施工することを特徴とする浴室ユニットの施工方法。
【発明の詳細な説明】
【技術分野】
【０００１】
本発明は、浴室ユニットおよび浴室ユニットの施工方法に関するものである。
【背景技術】
【０００２】
従来、ユニットバスの室内空間を現場に応じて拡張する場合等において、特許文献１に開示されているように、規格寸法のパネルに対し、部屋の寸法に合わせて縦に切断したパネルを連結部で連結して浴室壁を構築する方法が存在する。
【特許文献１】特許第２５８０９０４号公報
【発明の開示】
【発明が解決しようとする課題】
【０００３】
上記特許文献１に開示されている構築方法は、サンドイッチパネルに関するものであり、また連結具が複雑な形状をしたものであり、鋼板パネルにおいては、このような構造を採用することができないという問題点があった。
【課題を解決するための手段】
【０００４】
本発明は上記従来の問題点に鑑み案出したものであって、鋼板パネルを用いて浴室壁が構築される浴室ユニット、および、この浴室ユニットを現場の寸法に合わせて良好に施工できる施工方法を提供するものであり、その請求項１は、防水パンに鋼板パネルを建て付けて浴室空間が形成される浴室ユニットであって、前記鋼板パネルと同等の仕上面を有するつなぎ材を用い、該つなぎ材を連結具により前記鋼板パネルと連結して前記浴室空間を広げたことである。
【０００５】
また請求項２は、前記鋼板パネルと前記つなぎ材の室内側の意匠を同一に設定したことである。
【０００６】
また浴室ユニットの施工方法は、鋼板パネルを建て付けて浴室空間が形成される浴室ユニットを施工するに際し、前記鋼板パネルを現場に応じて切断し寸法を縮めて施工することである。
【発明の効果】
【０００７】
本発明は、防水パンに鋼板パネルを建て付けて浴室空間が形成される浴室ユニットであって、鋼板パネルと同等の仕上面を有するつなぎ材を用い、つなぎ材を連結具により鋼板パネルと連結して浴室空間を広げたことにより、リフォーム等において施工現場の寸法に対応させて、つなぎ材を適宜切断し、これを標準モジュールの鋼板パネルに連結具で連結して、施工現場に対応させた浴室空間を容易に形成させることができるものとなる。
【０００８】
また、鋼板パネルとつなぎ材の室内側の意匠を同一に設定したことにより、鋼板パネルとつなぎ材が同一意匠を呈して連続されるため、統一した良好な意匠性を呈する浴室空間を構築することができるものとなる。
【０００９】
また、鋼板パネルを建て付けて浴室空間が形成される浴室ユニットを施工するに際し、鋼板パネルを現場に応じて切断し寸法を縮めて施工することとしたため、標準モジュールの鋼板パネルを現場で切断加工して、現場に応じた幅寸法に設定して、現場に応じた浴室空間を容易に構築することができるものとなる。
【実施例】
【００１０】
以下、本発明の実施例を図面に基づいて説明する。
図１は、内部に浴室空間が形成された浴室ユニットの概略構成図であり、浴室ユニット１の底側は防水パン２で構成されており、この防水パン２の外周に、複数枚の鋼板パネル３，３，３が建て付けられて浴室の壁面が構成され、鋼板パネル３，３の上端に、天井パネル５が覆設されて天井が構成されるものである。
【００１１】
本例では、防水パン２は現場で寸法が調整できるような構造となっており、また、天井パネル５も現場で寸法調整できるような構造となっており、壁面の現場での寸法調整は、標準モジュールの鋼板パネル３に対して、つなぎ材４を現場に応じた寸法に切断加工して、このつなぎ材４を鋼板パネル３に連結して、リフォーム等の現場に対応させて浴室空間を拡張できるように構成されている。
【００１２】
図２の平面要部拡大構成図で示すように、標準モジュールの鋼板パネル３は、室内側の鋼板３ａの裏側に石膏ボード３ｂが貼着されて構成されており、鋼板３ａの側端側は、鋼板３ａが外側に延長された延長部３３となっており、この延長部３３の端部に裏側へ折り曲げて折曲片３１が一体形成されており、折曲片３１の先端で傾斜状に折り曲げて係止片３２が形成されたものとなっている。
【００１３】
このような標準モジュールの鋼板パネル３に対し、室内空間を拡張させる際には、現場の寸法に対応させて現場でつなぎ材４を切断加工し、このつなぎ材４を鋼板パネル３に接続して壁面が形成される。
このつなぎ材４は、室内側のアルミシート等の仕上材４ａが裏側のムク材４ｂに貼着されたものであり、ムク材４ｂは、例えば耐水合板，オレフィン系防水発泡板，アルミ積層板等で構成されたものである。
ムク材４ｂは現場でノコギリ等を用いて容易に切断し幅寸法を調整することができるものであり、切断加工した後に、裏面に連結金具８を固定することができるものである。
【００１４】
この連結金具は図３に拡大平面図で示すように、ムク材４ｂの裏側にビス１０や貼着等で固定される固定片８ａの先端に、裏側へ９０°折り曲げて立上片８ｂが一体形成され、立上片８ｂの先端に傾斜状にムク材４ｂ側へ折り曲げて係止片８ｃが一体形成されたものであり、この連結金具８をムク材４ｂの切断端面Ｃよりも側方へ突出させて固定させることで、更に良好に寸法調整することができるものである。
【００１５】
図２に戻り説明を続けると、標準モジュールの鋼板パネル３とつなぎ材４は、ポスト６或いはコーナーポスト７で裏側が連結されるものであり、ポスト６は略方形状に形成され、内側には傾斜した係合片６ａ，６ａが備えられており、ポスト６内部に鋼板パネル３の折曲片３１を挿入して、鋼板パネルの係止片３２をポスト６内の係合片６ａに係合させることができ、一方、つなぎ材４に固定された連結金具８の係止片８ｃをポスト６内の係合片６ａに係合させることで、鋼板パネル３とつなぎ材４をポスト６でつなぐことができ、両者間の隙間には室内側から目地材９を挿入して施工することができるものである。
目地材９は、表面側の覆蓋片９ａから裏側へ突出して挿入片９ｂが一体形成されており、この挿入片９ｂを、鋼板パネル３の折曲片３１とつなぎ材４の切断端面Ｃ間に挿入することができるものである。
【００１６】
同様に、コーナー部におけるコーナーポスト７においても、内側に係合片７ａ，７ａが形成されており、この係合片７ａに対し、つなぎ材４に固定した連結金具８の係止片８ｃを係合させ、また、直交方向に建て付けられる標準モジュールの鋼板パネル３の係止片３２をコーナーポスト７の係合片７ａに係合させて連結することができるものである。
【００１７】
図３に示すように、連結金具８をつなぎ材の切断端面Ｃよりも外側へ突出させたような場合には、この隙間Ｓ内にスペーサーを嵌め込んだり、またはコーキング等を施す等して、この隙間Ｓが埋められるものである。
このように、ムク材４ｂからなるつなぎ材４を現場の寸法に対応させて、現場で寸法調整して切断加工することで、容易に施工現場で浴室空間を拡張させることができるものとなる。
【００１８】
なお、この場合、鋼板パネル３およびつなぎ材４の上端と天井パネル５をつなぐ天井つなぎ材１１は、図４に斜視図で示すように、調整連結材１２で連結しておき、調整連結材１２を介して良好に幅方向を調整させて、現場の浴室空間に対応させることができるものである。
【００１９】
なお、逆に、現場に対応させて浴室空間を縮める必要がある場合には、図５に要部平面図で示すような標準モジュールの鋼板パネル３の延長部３３を、現場寸法に対応させて図６のように切断して、折曲部３１，係止片３２側を切断して除去し、鋼板３ａの延長部３３を適宜残しておき、この残された延長部３３の裏側に、図７に示すように、石膏ボード３ｃの適宜寸法のブロック片を貼り付け、更に延長部３３の裏側の端部に連結金具８を固定して加工することができるものである。
【００２０】
連結金具８の固定片８ａを延長部３３の裏側に固定した状態で、この連結金具８の係止片８ｃをポスト６或いはコーナーポスト７の係合片６ａ，７ａに係合させて、良好に建て付けることができるものであり、現場で標準モジュールの鋼板パネル３の延長部３３を適宜寸法に切断して、幅寸法を良好に縮めて、現場に対応することができるものとなる。
このように、現場に対応させて、容易に室内空間を調整することができ、施工が容易なものとなる。
【図面の簡単な説明】
【００２１】
【図１】浴室ユニットの概略構成図である。
【図２】浴室ユニットの壁面を構成する鋼板パネルとつなぎ材との連結状態を示す平面要部拡大構成図である。
【図３】図２の連結部分の拡大平面構成図である。
【図４】寸法調整できる天井つなぎ材の斜視構成図である。
【図５】鋼板パネルの側端側の平面構成図である。
【図６】鋼板パネルの側端側を適宜切断した状態の平面構成図である。
【図７】切断した裏側に石膏ボードと連結金具を固設した状態の平面構成図である。
【符号の説明】
【００２２】
１  浴室
２  防水パン
３  鋼板パネル
３ａ  鋼板
３ｂ  石膏ボード
３ｃ  石膏ボード
４  つなぎ材
４ａ  仕上材
４ｂ  ムク材
５  天井パネル
６  ポスト
６ａ  係合片
７  コーナーポスト
７ａ  係合片
８  連結金具
８ａ  固定片
８ｂ  立上片
８ｃ  係止片
９  目地材
９ａ  覆蓋片
９ｂ  挿入片
１１  天井つなぎ材
１２  調整連結材
３１  折曲片
３２  係止片
３３  延長部
【図１】
2007023515.tif 000003
【図２】
2007023515.tif 000004
【図３】
2007023515.tif 000005
【図４】
2007023515.tif 000006
【図５】
2007023515.tif 000007
【図６】
2007023515.tif 000008
【図７】
2007023515.tif 000009